(57)【特許請求の範囲】
【請求項１】
第一の取付部材と第二の取付部材を連結する本体ゴム弾性体と、
可撓性のダイヤフラムと、
前記本体ゴム弾性体により壁部の一部が構成されて非圧縮性流体が封入された受圧室と、
前記ダイヤフラムにより壁部の一部が構成されて非圧縮性流体が封入された平衡室と、
前記受圧室と前記平衡室との間に形成されて非圧縮性流体が封入された中間室と、
前記中間室に収容され前記中間室のうち前記受圧室側と前記平衡室側とを仕切り且つ弾性変形すると共に、外周縁に膜幅方向に突出する周状突起を備えるゴム製の可動膜と、
前記受圧室と前記平衡室とを相互に連通する第一オリフィス通路と、
前記受圧室と前記中間室のうち前記可動膜の一方面側とを相互に連通する第二オリフィス通路と、
前記平衡室と前記中間室のうち前記可動膜の他方面側とを相互に連通する第三オリフィス通路と、
前記受圧室と前記平衡室を仕切ると共に、前記第一オリフィス通路、および、前記第二オリフィス通路と前記第三オリフィス通路との一方を形成する仕切部材と、
前記仕切部材とにより前記可動膜を挟持することにより前記可動膜を覆蓋するようにして保持する可動膜保持部材と、
を備える流体封入式防振装置において、
前記可動膜保持部材は、
前記第二オリフィス通路または前記第三オリフィス通路である２以上の貫通孔と、
前記貫通孔の径方向外方に位置し前記周状突起の先端凸面に当接することで、前記仕切部材とにより前記可動膜を挟持する平面部と、
２つ以上の前記貫通孔の径方向外方縁の一部をなし、前記平面部から突出し、前記周状突起の内周側に係合する係合突起であって、該係合突起の周方向の隣りに前記貫通孔が形成されるように形成される２以上の前記係合突起と、
を備えることを特徴とする流体封入式防振装置。
【請求項２】
第一の取付部材と第二の取付部材を連結する本体ゴム弾性体と、
可撓性のダイヤフラムと、
前記本体ゴム弾性体により壁部の一部が構成されて非圧縮性流体が封入された受圧室と、
前記ダイヤフラムにより壁部の一部が構成されて非圧縮性流体が封入された平衡室と、
前記受圧室と前記平衡室との間に形成されて非圧縮性流体が封入された中間室と、
前記中間室に収容され前記中間室のうち前記受圧室側と前記平衡室側とを仕切り且つ弾性変形すると共に、外周縁に膜幅方向に突出する周状突起を備えるゴム製の可動膜と、
前記受圧室と前記平衡室とを相互に連通する第一オリフィス通路と、
前記受圧室と前記中間室のうち前記可動膜の一方面側とを相互に連通する第二オリフィス通路と、
前記平衡室と前記中間室のうち前記可動膜の他方面側とを相互に連通する第三オリフィス通路と、
前記可動膜の両面側に配置され、前記可動膜を保持する第一、第二の可動膜保持部材と、
を備える流体封入式防振装置において、
前記第一、第二の可動膜保持部材は、
前記第二オリフィス通路または前記第三オリフィス通路として機能する２以上の貫通孔と、
前記貫通孔の径方向外方に位置し前記周状突起の先端凸面に当接する平面部と、
２つ以上の前記貫通孔の径方向外方縁の一部をなし、前記平面部から突出し、前記周状突起の内周側に係合する係合突起であって、該係合突起の周方向の隣りに前記貫通孔が形成されるように形成される２以上の前記係合突起と、
を備えることを特徴とする流体封入式防振装置。
【請求項３】
前記周状突起は、前記可動膜の外周縁の一方面に膜厚方向へ突出する第一の周状突起と、前記可動膜の外周縁の他方面に膜厚方向へ突出する第二の周状突起と、を備え、
前記可動膜保持部材は、第一の可動膜保持部材と第二の可動膜保持部材とを備え、
前記第一の可動膜保持部材は、
第一の前記貫通孔と、
前記第一の貫通孔の径方向外方に位置し前記第一の周状突起の先端凸面に当接する前記平面部と、
前記第一の貫通孔の径方向外方縁の一部をなし、前記平面部から突出し、前記第一の周状突起の内周側に係合する係合突起と、
を備え、
前記第二の可動膜保持部材は、
前記第二の貫通孔と、
前記第二の貫通孔の径方向外方に位置し前記第二の周状突起の先端凸面に当接する平面部と、
前記第二の貫通孔の径方向外方縁の一部をなし、前記平面部から突出し、前記第二の周状突起の内周側に係合する係合突起と、
を備える請求項２に記載の流体封入式防振装置。
【請求項４】
前記可動膜保持部材は、平板状の金属板をプレス加工して形成される請求項１〜３の何れか一項に記載の流体封入式防振装置。
【請求項５】
前記可動膜保持部材は、前記平板状の金属板を打抜きプレス加工により前記貫通孔を形成し、前記貫通孔の径方向外方縁を曲げプレス加工により前記係合突起を形成する請求項４に記載の流体封入式防振装置。
【請求項６】
前記貫通孔により形成される前記第二オリフィス通路または前記第三オリフィス通路は、前記第一オリフィス通路より高周波数にチューニングされた請求項１〜５の何れか一項に記載の流体封入式防振装置。
【発明の詳細な説明】
【技術分野】
【０００１】
本発明は、防振連結すべき部材間に介装されて、それらの部材を相互に防振連結する防振装置であって、内部に封入された流体の流動作用に基づく防振効果を利用する流体封入式防振装置に関するものである。
【背景技術】
【０００２】
流体封入式防振装置として、特開平９−２６４３７３号公報（特許文献１）に記載されたものがある。この流体封入式防振装置は、本体ゴム弾性体により壁部の一部が構成されて受圧室とダイヤフラムにより壁部の一部が構成された平衡室との間に、可動膜が配置されている。この可動膜は、その外周縁を両面から挟むことで支持されている。しかし、特に大変位が入力された際に第一の取付部材と第二の取付部材とが大きく相対変位することで、受圧室や可動膜付近において、液圧が大きく変動する。液圧変動により、可動膜を大きく変動する。そして、可動膜が変動する際に、可動膜と可動膜を挟持する部材との間でずれが生じ、スティックスリップが発生する可能性がある。この結果、異音や振動が発生するおそれがあった。
【０００３】
特許文献１とは異なる可動膜の支持手段が、例えば、特開２００７−４６７７７号公報（特許文献２）、実開平５−７１４８９号公報（特許文献３）、特開平９−３１０７３２号公報（特許文献４）などに記載されている。
【０００４】
特許文献２には、可動膜の外周縁に円環形状の環状突部を形成し、リング状部材に形成された環状溝に嵌め込むことが記載されている。特許文献３には、可動膜の外周縁に円環形状の環状突部を形成し、環状溝が形成された一対のリング状部材により挟持することが記載されている。特許文献４には、可動膜の外周縁に円環形状の環状突部を形成し、可動膜の環状突起に係合するように固定部材の一方面に環状突起を形成することが記載されている。これら特許文献２〜４に記載のように可動膜を支持することで、液圧変動が生じたとしても、可動膜のずれを抑制することができる。結果として、スティックスリップが発生することを抑制できるという効果を奏する。
【特許文献１】特開平９−２６４３７３号公報
【特許文献２】特開２００７−４６７７７号公報
【特許文献３】実開平５−７１４８９号公報
【特許文献４】特開平９−３１０７３２号公報
【発明の開示】
【発明が解決しようとする課題】
【０００５】
ところで、可動膜の一方側の領域と受圧室の間と、可動膜の他方側の領域と平衡室との間には、オリフィス通路を形成する。このオリフィス通路における流体流通方向の断面積を変化させることにより、防振特性をチューニングすることができる。
【０００６】
特許文献２〜４に記載の装置において、可動膜を支持する部材には、可動膜の外周縁に係合する環状突起が設けられている。従って、オリフィス通路をなす貫通孔は、固定部材における当該環状突起よりも内側にしか形成できない。つまり、オリフィス通路は、最大でも、環状突起の内側の面積となる。オリフィス通路の断面積をさらに大きくしたいという要請もある。しかし、上述したように、液圧変動により可動膜がスティックスリップすることを抑制する必要もある。つまり、液圧変動が生じたとしても可動膜の変動を抑制できるように、可動膜を十分に保持する必要がある。
【０００７】
本発明は、このような事情に鑑みてなされたものであり、液圧変動が生じたとしても可動膜の変動によるスティックスリップが発生することを抑制しつつ、可動膜が配置される領域に連通するオリフィス通路をより大きく形成可能な流体封入式防振装置を提供することを目的とする。
【課題を解決するための手段】
【０００８】
以下、上記課題を解決するのに適した各手段につき、必要に応じて作用効果等を付記しつつ説明する。
【０００９】
本発明に係る流体封入式防振装置は、第一の取付部材と第二の取付部材を連結する本体ゴム弾性体と、可撓性のダイヤフラムと、前記本体ゴム弾性体により壁部の一部が構成されて非圧縮性流体が封入された受圧室と、前記ダイヤフラムにより壁部の一部が構成されて非圧縮性流体が封入された平衡室と、前記受圧室と前記平衡室との間に形成されて非圧縮性流体が封入された中間室と、前記中間室に収容され前記中間室のうち前記受圧室側と前記平衡室側とを仕切り且つ弾性変形すると共に、外周縁に膜幅方向に突出する周状突起を備えるゴム製の可動膜と、前記受圧室と前記平衡室とを相互に連通する第一オリフィス通路と、前記受圧室と前記中間室のうち前記可動膜の一方面側とを相互に連通する第二オリフィス通路と、前記平衡室と前記中間室のうち前記可動膜の他方面側とを相互に連通する第三オリフィス通路と、前記受圧室と前記平衡室を仕切ると共に、前記第一オリフィス通路、および、前記第二オリフィス通路と前記第三オリフィス通路との一方を形成する仕切部材と、前記仕切部材とにより前記可動膜を挟持することにより前記可動膜を覆蓋するようにして保持する可動膜保持部材と備える。
前記可動膜保持部材は、前記第二オリフィス通路または前記第三オリフィス通路である２以上の貫通孔と、前記貫通孔の径方向外方に位置し前記周状突起の先端凸面に当接することで、前記仕切部材とにより前記可動膜を挟持する平面部と、２つ以上の前記貫通孔の径方向外方縁の一部をなし、前記平面部から突出し、前記周状突起の内周側に係合する係合突起であって、該係合突起の周方向の隣りに前記貫通孔が形成されるように形成される２以上の前記係合突起とを備える。
【００１０】
本発明によれば、可動膜保持部材の係合突起が可動膜の周状突起に係合することで、可動膜と可動膜保持部材との間でずれが生じることを抑制できる。従って、液圧変動が生じたとしても、可動膜を十分に保持することができ、スティックスリップが発生することを抑制できる。また、可動膜保持部材の係合突起は、貫通孔の径方向外方縁の一部をなしている。つまり、係合突起は、全周に形成されていない。従って、周方向において、係合突起が形成されていない部位があるため、貫通孔を大きくすることができる。従って、チューニング範囲が拡大する。つまり、本発明によれば、液圧変動が生じたとしても可動膜の変動によるスティックスリップの発生を抑制できる効果を奏しつつ、オリフィス通路を大きく形成できる効果を奏する。
【００１１】
さらに、係合突起の周方向の隣りにまで、貫通孔が形成されるため、貫通孔の大面積化を図ることができる。これにより、チューニング範囲が確実に拡大する。
【００１２】
また、例えば、可動膜の変位規制などを目的として、可動膜保持部材の一部を可動膜の中央付近に設ける場合がある。このような場合には、必然的に、貫通孔が２つ以上設けられることになる。このように貫通孔が２つ以上設けられる場合に、できるだけ大きな貫通孔を形成することは容易ではない。そこで、本発明によれば、貫通孔を２つ以上設けつつ、大きな面積の貫通孔を形成できる。
【００１４】
さらに、仕切部材と可動膜保持部材とにより可動膜を保持している。つまり、可動膜保持部材は、可動膜の一方側のみに配置されている。例えば、受圧室の液圧が大きくなる場合にスティックスリップの問題が発生しやすい場合には、可動膜の受圧室側に可動膜保持部材を設けると効果的である。一方、受圧室の液圧が小さくなる場合にスティックスリップの問題が発生しやすい場合には、可動膜の平衡室側に可動膜保持部材を設けると効果的である。このように、可動膜保持部材の位置を、それぞれ使い分けることができる。
【００１５】
また、本発明に係る他の流体封入式防振装置は、第一の取付部材と第二の取付部材を連結する本体ゴム弾性体と、可撓性のダイヤフラムと、前記本体ゴム弾性体により壁部の一部が構成されて非圧縮性流体が封入された受圧室と、前記ダイヤフラムにより壁部の一部が構成されて非圧縮性流体が封入された平衡室と、前記受圧室と前記平衡室との間に形成されて非圧縮性流体が封入された中間室と、前記中間室に収容され前記中間室のうち前記受圧室側と前記平衡室側とを仕切り且つ弾性変形すると共に、外周縁に膜幅方向に突出する周状突起を備えるゴム製の可動膜と、前記受圧室と前記平衡室とを相互に連通する第一オリフィス通路と、前記受圧室と前記中間室のうち前記可動膜の一方面側とを相互に連通する第二オリフィス通路と、前記平衡室と前記中間室のうち前記可動膜の他方面側とを相互に連通する第三オリフィス通路と、前記可動膜の両面側に配置され、前記可動膜を保持する第一、第二の可動膜保持部材とを備える。
前記第一、第二の可動膜保持部材は、前記第二オリフィス通路または前記第三オリフィス通路として機能する２以上の貫通孔と、前記貫通孔の径方向外方に位置し前記周状突起の先端凸面に当接する平面部と、２つ以上の前記貫通孔の径方向外方縁の一部をなし、前記平面部から突出し、前記周状突起の内周側に係合する係合突起であって、該係合突起の周方向の隣りに前記貫通孔が形成されるように形成される２以上の前記係合突起とを備える。
これにより、確実に、受圧室の液圧が大きくなる場合にも小さくなる場合にも、スティックスリップの発生を抑制できる。
【００１６】
また、前記周状突起は、前記可動膜の外周縁の一方面に膜厚方向へ突出する第一の周状突起と、前記可動膜の外周縁の他方面に膜厚方向へ突出する第二の周状突起と、を備え、前記可動膜保持部材は、第一の可動膜保持部材と第二の可動膜保持部材とを備え、前記第一の可動膜保持部材は、第一の前記貫通孔と、前記第一の貫通孔の径方向外方に位置し前記第一の周状突起の先端凸面に当接する前記平面部と、前記第一の貫通孔の径方向外方縁の一部をなし、前記平面部から突出し、前記第一の周状突起の内周側に係合する係合突起と、を備え、前記第二の可動膜保持部材は、前記第二の貫通孔と、前記第二の貫通孔の径方向外方に位置し前記第二の周状突起の先端凸面に当接する平面部と、前記第二の貫通孔の径方向外方縁の一部をなし、前記平面部から突出し、前記第二の周状突起の内周側に係合する係合突起とを備える。
これにより、上記構成を確実に実現できる。
【００１７】
また、前記可動膜保持部材は、平板状の金属板をプレス加工して形成されるようにしてもよい。一般に、プレス加工は、他の加工方法に比べて、簡易且つ安価な加工方法である。しかし、従来は、可動膜保持部材をプレス加工により成形すると、可動膜を保持する係合突起と、出来るだけ大きな貫通孔を形成することは容易ではなかった。これに対して、上記に記載したように、係合突起を、貫通孔の径方向外方縁の一部をなし、且つ、前記平面部から突出するようにすることで、簡易なプレス加工により、可動膜保持部材の係合突起および貫通孔を形成できることになる。つまり、本発明によれば、可動膜を確実に保持する係合突起と出来るだけ大きな貫通孔を有する可動膜保持部材を容易に且つ安価に成形できる。
【００１８】
また、前記可動膜保持部材は、前記平板状の金属板を打抜きプレス加工により前記貫通孔を形成し、前記貫通孔の径方向外方縁を曲げプレス加工により前記係合突起を形成するようにしてもよい。
これにより、確実にプレス加工により可動膜保持部材を成形できる。特に、曲げプレス加工により係合突起を形成することで、可動膜を確実に保持できる係合突起を形成できる。
【００２０】
また、前記貫通孔により形成される前記第二オリフィス通路または前記第三オリフィス通路は、前記第一オリフィス通路より高周波数にチューニングされるようにしてもよい。より高周波の振動に対して効果的なオリフィス通路を形成できる。
【発明を実施するための最良の形態】
【００２１】
以下、本発明の流体封入式防振装置を具体化した実施形態について図面を参照しつつ説明する。
【００２２】
＜第一実施形態＞
第一実施形態の流体封入式防振装置を、自動車用のエンジンマウント１に適用した場合について、図１〜図３を参照して説明する。図１は、エンジンマウント１の軸方向断面図である。図２（ａ）は、可動膜保持部材１１０の平面図、図２（ｂ）は可動膜保持部材１１０の正面図、図２（ｃ）は可動膜保持部材１１０の底面図である。
【００２３】
図１に示すように、エンジンマウント１は、第一の取付部材としての第一の取付金具１０と、第二の取付部材としての第二の取付金具２０と、本体ゴム弾性体３０と、シールゴム層４０と、ストッパゴム５０と、ダイヤフラム６０と、円筒固定金具７０と、ストッパ金具８０と、仕切部材９０と、可動膜１００と、可動膜保持部材１１０とから構成されている。
【００２４】
第一の取付金具１０は、鉄やアルミニウム合金等で形成されたブロック状の部材である。この第一の取付金具１０は、逆円錐台部１１と、ストッパ部１２と、雌ネジ形成部１３とから構成される。逆円錐台部１１は、軸方向上方に向かって次第に大径となる逆円錐台のブロック形状からなる。ストッパ部１２は、逆円錐台部１１の軸方向上端に設けられ、径方向外方に突出する円盤状からなる。雌ネジ形成部１３は、ストッパ部１２の軸方向上端から軸方向上方に突出するように設けられ、上端面から軸方向下方に向かって雌ネジ１３ａが形成されている。そして、この雌ネジ部形成部１３の雌ネジ１３ａには、自動車のパワーユニット（図示せず）に取り付けられる。
【００２５】
第二の取付金具２０は、第一の取付金具１０に比べて薄肉大径の略円筒形状からなり、第一の取付金具１０と同様に鉄やアルミニウム合金等で形成された高剛性の部材である。また、第二の取付金具２０の上端部には、軸直角方向内側に屈曲する内フランジ状の段差部２１が設けられている。この段差部２１の内周側端部には、上方に向かって次第に拡開するテーパ状部２２が一体形成されている。このテーパ状部２２の上端部には、軸直角方向外側に広がるフランジ状部２３が形成されている。そして、第二の取付金具２０のフランジ状部２３が設けられた側の開口部側に離隔して、第一の取付金具１０が、同軸上に配置される。この第二の取付金具２０は、ブラケット金具（図示せず）を介して、自動車のボディ（図示せず）に取り付けられている。
【００２６】
本体ゴム弾性体３０は、厚肉の略円錐台形状からなるゴム弾性体で形成されている。本体ゴム弾性体３０の大径側（図１の下側）の端部には、端面に開口する半球形状またはすり鉢形状の大径凹所３１が形成されている。そして、本体ゴム弾性体３０の小径側端部（図１の上側）は、第一の取付金具１０の逆円錐台部１１が埋設されるように加硫接着されている。本体ゴム弾性体３０の大径側端部の外周面は、第二の取付金具２０のテーパ状部２２に加硫接着されている。このようにして、本体ゴム弾性体３０は、第一の取付金具１０と第二の取付金具２０との間に介装され、両者を弾性連結している。さらに、本体ゴム弾性体３０は、第二の取付金具２０のテーパ状部２２側（図１の上側）の開口部を流体密に閉塞している。そして、本実施形態においては、本体ゴム弾性体３０は、第一の取付金具１０と第二の取付金具２０を一体的に備えた一体加硫成形品として形成されている。
【００２７】
シールゴム層４０は、本体ゴム弾性体３０の大径側端部の外周縁部に、軸方向下方に向かって一体成形された薄肉大径の筒状からなる。このシールゴム層４０は、第二の取付金具２０の内周面に被着形成されている。つまり、第二の取付金具２０の段差部２１よりも下側部分の内周面が、シールゴム層４０によって略全面に亘って被覆されている。なお、大径凹所３１の開口周縁部において、シールゴム層４０よりも内周側には、略軸直角方向に広がる環状の段差面４１が形成されている。
【００２８】
ストッパゴム５０は、第一の取付金具１０のストッパ部１２の周囲を被覆すように、ストッパ部１２に加硫接着されている。このストッパゴム５０は、本体ゴム弾性体３０と一体的に成形される。このストッパゴム５０は、後述するストッパ金具８０の筒状部８１または内フランジ状部８２と接触することにより、第一の取付金具１０の第二の取付金具２０に対する変位規制機能を発揮する。
【００２９】
ダイヤフラム６０は、第二の取付金具２０の軸方向下方（図１の下側）の開口部分に設けられている。ダイヤフラム６０は、薄肉大径の略円板形状からなる可撓性のゴム膜である。このダイヤフラム６０の外周部分には、軸方向に十分な弛みを有している。また、ダイヤフラム６０の中央部分には、外周部分に比べて厚肉の円板形状からなる中央当接部６１を有する。さらに、ダイヤフラム６０の外周縁部には、円環形状の固着部６２が一体形成されている。
【００３０】
円筒固定金具７０は、鉄等で形成された高剛性の部材であって、大径の略円環形状からなり、ダイヤフラム６０の固着部６２の外周面に加硫接着されている。ここで、ダイヤフラム６０は、円筒固定金具７０を一体的に備えた一体加硫成形品として形成している。
【００３１】
そして、ダイヤフラム６０の一体加硫成形品は、第一の取付金具１０と第二の取付金具２０を備えた本体ゴム弾性体３０の一体加硫成形品に取り付けられる。すなわち、第二の取付金具２０のうち本体ゴム弾性体３０側とは反対側（図１の下側）の開口部からダイヤフラム６０を挿し入れて、円筒固定金具７０の外周面がシールゴム層４０の内周面に当接する状態としておく。その状態で、第二の取付金具２０に対して縮径加工を施すことにより、シールゴム層４０を介して円筒固定金具７０を第二の取付金具２０の開口部分に嵌着固定させる。これにより、ダイヤフラム６０が第二の取付金具２０の軸方向下方（図１の下側）の開口部分を流体密に覆蓋するように取り付けられる。
【００３２】
ダイヤフラム６０を第二の取付金具２０に組み付けた状態では、第二の取付金具２０の内周側において、本体ゴム弾性体３０とダイヤフラム６０の軸方向対向面の間に、外部から隔離された非圧縮性流体が封入された流体封入領域（液室）２００が形成されている。なお、流体封入領域２００に封入される非圧縮性流体は、特に限定されるものではないが、例えば、アルキレングリコール、ポリアルキレングリコール、シリコーン油やそれらの混合液を好適に採用する。また、後述する流体の流動作用に基づく防振効果を有効に得るために、粘土が０．１Ｐａ以下の低粘性流体を採用することが望ましい。
【００３３】
ストッパ金具８０は、薄肉大径の円筒形状からなり、鉄やアルミニウム合金等で形成された高剛性の部材である。ストッパ金具８０の筒状部８１の内径は、第二の取付金具２０の外径とほぼ同一に形成されている。このストッパ金具８０の軸方向上端には、軸直角方向内側に屈曲する内フランジ状部８２が設けられている。この内フランジ状部８２の内径は、第一の取付金具１０の雌ネジ形成部１３の外径より大きく形成されている。そして、ストッパ金具８０の内フランジ状部８２がストッパゴム５０に当接し得るように、ストッパ金具８０の筒状部８１が、第二の取付金具２０の外周面に溶接等により固定されている。つまり、第二の取付金具２０が第一の取付金具１０に対して軸方向に相対移動した場合に、ストッパ金具８０の内フランジ状部８２がストッパゴム５０に当接することにより、ストッパ機能を発揮する。
【００３４】
仕切部材９０は、流体封入領域２００に収容配置されている。仕切部材９０は、アルミニウム合金または樹脂により成形され、全体として略厚肉の円板形状を有している。そして、この仕切部材９０が流体封入領域２００内で軸直角方向に広がった状態で第二の取付金具２０に固定されることにより、流体封入領域２００が、仕切部材９０を挟んだ上下両側に仕切られている。
【００３５】
そして、仕切部材９０の上側には、壁部の一部が本体ゴム弾性体３０の大径凹所３１で構成された受圧室２０１が形成されている。一方、仕切部材９０の下側には、壁部の一部がダイヤフラム６０で構成された平衡室２０２が形成されている。すなわち、受圧室２０１は、第一の取付金具１０と第二の取付金具２０との間に振動を入力した時に、本体ゴム弾性体３０の弾性変形に伴って振動が入力されて内圧変動を生じるようになっている。一方、平衡室２０２は、ダイヤフラム６０の変形に基づいて容易に容積変化が許容されて、内圧変化が吸収されるようになっている。
【００３６】
この仕切部材９０の外周部分には、外周面に開口して周方向に約一周の長さで延びる周溝９１が形成されている。そして、この周溝９１の一方の端部が上端連通孔（図示せず）を通じて受圧室２０１に連通されている。一方、周溝９１の他方の端部が下端連通孔（図示せず）を通じて平衡室２０２に連通されている。つまり、周溝９１は、受圧室２０１と平衡室２０２を相互に連通する第一オリフィス通路として機能する。
【００３７】
また、仕切部材９０の中央部分には、上方および下方のそれぞれに向かって開口する円形の中央凹所９２、９３が形成されている。この上方中央凹所９２により形成される領域は、中間室２０３を形成する。つまり、中間室２０３は、受圧室２０１と平衡室２０２との間に形成されている。なお、仕切部材９０の上側には、受圧室２０１に加えて、中間室２０３が形成されている。さらに、仕切部材９０には、中央凹所９２、９３間を貫通する貫通孔９４が複数形成されている。
【００３８】
可動膜１００は、弾性変形可能なゴム弾性体からなり、ダイヤフラム６０より厚肉な円盤状に形成されている。この可動膜１００は、円盤状部１０１と、円盤状部１０１の外周縁の一方面に膜幅方向に突出する第一の周状突起１０２と、円盤状部１０１の外周縁の他方面に膜幅方向に突出する第二の周状突起１０３とを備える。この可動膜１００の外周縁の膜厚、すなわち、第一の周状突起１０２の先端凸面から第二の周状突起１０３の先端凸面までの幅は、仕切部材９０の上方中央凹所９２の深さとほぼ同一である。そして、この可動膜１００は、仕切部材９０の上方中央凹所９２、すなわち、中間室２０３に収容され、中間室２０３のうち受圧室２０１側と平衡室２０２側とを仕切っている。さらに、可動膜１００は、仕切部材９０との間に、中間室２０３のうち平衡室２０２側の領域２０３ｂを確保している。
【００３９】
可動膜保持部材１１０は、薄肉の金属板により円盤状に形成されている。この可動膜保持部材１１０については、図２（ａ）〜図２（ｃ）を参照しながら説明する。
【００４０】
可動膜保持部材１１０は、平面部１１１と、オリフィス用貫通孔１１２と、取付用貫通孔１１３と、係合突起１１４を備えている。平面部１１１は、全体としては円盤状からなり、外周縁の一部に切欠きが形成されている。この平面部１１１の外径は、仕切部材９０の外径とほぼ同等である。また、平面部１１１の中央部分に、複数のオリフィス用貫通孔１１２が形成されている。このオリフィス用貫通孔１１２が形成されている範囲の最大径は、可動膜１００の外径よりも僅かに小さく、且つ、可動膜１００の周状突起１０２、１０３の内周側の径と同等または当該内周側の径より僅かに大きくされている。本実施形態においては、オリフィス用貫通孔１１２は、径方向において、中央部、第二列部、第三列部の三列形成されている。また、径方向の各列のオリフィス用貫通孔１１２は、周方向においても、複数に分けられている。取付用貫通孔１１３は、オリフィス用貫通孔１１２よりも径方向外方に３つ形成されている。この取付用貫通孔１１３は、仕切部材９０にボルトにより固定されるためのものである。
【００４１】
係合突起１１４は、オリフィス用貫通孔１１２のうちで最も径方向外方に位置する６つのオリフィス用貫通孔１１２の径方向外方縁の一部をなし、平面部１１１から突出するように曲げ成形されている。さらに、この係合突起１１４の周方向の両隣りには、オリフィス用貫通孔１１２が形成される位置関係にある。つまり、係合突起１１４の周方向長さは、最も径方向外方に位置するオリフィス用貫通孔１１２の周方向長さより短い。さらに、係合突起１１４の内径は、オリフィス用貫通孔１１２の最大外径より小さい。
【００４２】
ここで、可動膜保持部材１１０の成形方法について説明する。まず、外周形状が円形の金属平板を準備する。この金属平板に対して、打抜きプレス加工により、オリフィス用貫通孔１１２、取付用貫通孔１１３、および、切欠き部を形成する。続いて、最も径方向外方に位置するオリフィス用貫通孔１１２の径方向外方縁のうち、径方向内方に向かって突出する部位を、曲げプレス加工により約９０°曲げ成形する。このようにして、曲げ成形された部位が、係合突起１１４となる。
【００４３】
このように成形された可動膜保持部材１１０は、仕切部材９０の上方中央凹所９２に可動膜１００を収容した状態で、可動膜１００を覆蓋するように仕切部材９０に固定する。このとき、可動膜保持部材１１０の平面部１１１のうち、係合突起１１４の径方向外方部分が、可動膜１００の第一の周状突起１０２の先端凸面に当接する。つまり、可動膜１００は、仕切部材９０の上方中央凹所９２を形成する部位と、可動膜保持部材１１０の平面部１１１とにより挟まれるように保持されている。さらに、可動膜保持部材１１０の係合突起１１４が、可動膜１００の第一の周状突起１０２の内周側に当接する状態となり、当該第一の周状突起１０２に対して径方向に係合している。さらに、この状態において、可動膜保持部材１１０の平面部１１１は、可動膜１００との間に領域２０３ａを確保している。
【００４４】
そして、このように一体にされた仕切部材９０、可動膜１００および可動膜保持部材１１０は、第二の取付金具２０における軸方向下側の開口部から嵌め込まれ、仕切部材９０の上端部が可動膜保持部材１１０を介してシールゴム層４０の段差面４１に重ね合わされるように位置決めされている。また、第二の取付金具２０が絞り加工されることにより、仕切部材９０の外周面が、第二の取付金具２０の内周面に対して、シールゴム層４０を介して密着状態で組み付けられている。さらに、仕切部材９０の下端部が、第二の取付金具２０の下端開口部に嵌め込まれた円筒固定金具７０の上端部に重ね合わされており、この円筒固定金具７０が第二の取付金具２０の絞り加工で流体密に嵌着固定されている。これにより、仕切部材９０が、第二の取付金具２０の内部において、軸方向中間部分に固定されて組み付けられている。
【００４５】
このように、仕切部材９０、可動膜１００および可動膜保持部材１１０が第二の取付金具２０に取り付けられた状態において、可動膜保持部材１１０のオリフィス用貫通孔１１２が、受圧室２０１と中間室２０３のうち可動膜１００の上面側とを相互に連通する第二オリフィス通路として機能する。また、仕切部材９０の貫通孔９４が、平衡室２０２と中間室２０３のうち可動膜１００の下面側を連通する第三オリフィス通路として機能する。そして、第二オリフィス通路１１２および第三オリフィス通路９４は、第一オリフィス通路９１より高周波数にチューニングされている。
【００４６】
以上説明したように、可動膜保持部材１１０の係合突起１１４が可動膜１００の第一の周状突起１０２に係合することで、可動膜１００と可動膜保持部材１１０との間でずれが生じることを抑制できる。従って、第一の取付金具１０と第二の取付金具２０とが相対的に大きな変位が生じることで、大きな液圧変動が生じたとしても、可動膜１００を確実に保持することができ、スティックスリップが発生することを抑制できる。また、可動膜保持部材１１０の係合突起１１４は、オリフィス用貫通孔１１２の径方向外方縁の一部をなしている。つまり、係合突起１１４は、全周に形成されていない。従って、周方向において、係合突起１１４が形成されていない部位があるため、オリフィス用貫通孔１１２を大きくすることができる。特に、オリフィス用貫通孔１１２は、係合突起１１４の周方向の隣りに形成されている。従って、係合突起１１４の周方向の隣りにまで、オリフィス用貫通孔１１２が形成されるため、オリフィス用貫通孔１１２の大面積化を図ることができる。これにより、チューニング範囲が確実に拡大する。つまり、本実施形態によれば、液圧変動が生じたとしても可動膜１００の変動によるスティックスリップの発生を抑制できる効果を奏しつつ、オリフィス用貫通孔１１２を大きく形成できる効果を奏する。
【００４７】
また、オリフィス用貫通孔１１２は、２以上からなり、係合突起１１４は、少なくとも２つのオリフィス用貫通孔１１２の径方向外方縁の一部をなす。ここで、本実施形態の平面部１１１のうち中央部分は、可動膜１００の変位規制効果を有する。このような場合には、必然的にオリフィス用貫通孔が２つ以上設けられることになり、オリフィス用貫通孔１１２が２つ以上設けられる場合に、できるだけ大きなオリフィス用貫通孔１１２を形成することは容易ではない。しかし、本実施形態によれば、このような場合であっても、大きな面積の貫通孔を形成できる。
【００４８】
また、可動膜保持部材１１０は、上述したように、金属板をプレス加工により形成した。本実施形態においては、係合突起１１４を、オリフィス用貫通孔１１２の径方向外方縁の一部をなし、且つ、平面部１１１から突出するようにすることで、簡易なプレス加工により、可動膜保持部材１１０の係合突起１１４およびオリフィス用貫通孔１１２を形成できた。つまり、可動膜保持部材１１０を上記のような形状とすることにより、可動膜１００を確実に保持する係合突起１１４と出来るだけ大きなオリフィス用貫通孔１１２を有する可動膜保持部材１１０を、安価なプレス加工により容易に成形が可能となった。
【００４９】
＜第二実施形態＞
第二実施形態のエンジンマウントについて、図３を参照して説明する。図３は、第二実施形態のエンジンマウントを構成する仕切部材２１０、可動膜１００、可動膜保持部材２２０、２３０を含む断面図である。第二実施形態のエンジンマウントは、第一実施形態のエンジンマウント１に対して、仕切部材２１０および可動膜保持部材２２０、２３０のみ相違する。以下、相違点のみについて説明する。
【００５０】
第一実施形態のエンジンマウント１においては、可動膜保持部材１１０を受圧室２０１側のみに配置して、可動膜１００を可動膜保持部材１１０と仕切部材９０とにより挟持する構成とした。第二実施形態のエンジンマウントにおいては、第一実施形態の可動膜保持部材１１０を受圧室側２０１と平衡室２０２側とに配置して、可動膜１００を２つの可動膜保持部材により挟持する構成とした。
【００５１】
図３に示すように、仕切部材２１０は、円板形状をなし、中央に大径の貫通孔２１１が形成されている。この大径の貫通孔２１１は、第一実施形態の可動膜保持部材１１０の係合突起１１４の外径よりも、可動膜１００の周状突起１０１の幅分だけ大きく形成されている。さらに、仕切部材２１０には、径方向外方に開口する周溝２１２が形成されている。そして、この周溝２１２の一方の端部が上端連通孔（図示せず）を通じて受圧室２０１に連通されている。一方、周溝２１２の他方の端部が下端連通孔（図示せず）を通じて平衡室２０２に連通されている。つまり、周溝２１２は、受圧室２０１と平衡室２０２を相互に連通する第一オリフィス通路として機能する。なお、この仕切部材２１０は、金属板をプレス加工により成形する。
【００５２】
第一の可動膜保持部材２２０および第二の可動膜保持部材２３０は、第一実施形態の可動膜保持部材１１０と同一の形状からなる。そして、第一の可動膜保持部材２２０は、仕切部材２１０の上側に固定される。このとき、仕切部材２１０の大径の貫通孔２１１の内周面と、第一の可動膜保持部材２２０の係合突起１１４との間に、周方向に断続的な溝が形成される。この周方向の断続的な溝に、可動膜１００の周状突起１０１が嵌合されるように、可動膜１００が配置される。
【００５３】
そして、第二の可動膜保持部材２３０は、可動膜１００の下側を覆蓋するように、仕切部材２１０の下側に固定される。つまり、可動膜１００は、第一の可動膜保持部材２２０の平面部１１１と第二の可動膜保持部材２３０の平面部１１１とにより挟持される。詳細には、第一の可動膜保持部材２２０の平面部１１１のうち、第一の係合突起１１４の径方向外方部分が、可動膜１００の第一の周状突起１０２の先端凸面に当接する。一方、第二の可動膜保持部材２３０の平面部１１１のうち、第二の係合突起１１４の径方向外方部分が、可動膜１００の第二の周状突起１０３の先端凸面に当接する。
【００５４】
さらに、第一の可動膜保持部材２２０の第一の係合突起１１４が、可動膜１００の第一の周状突起１０２の内周側に当接する状態となり、当該第一の周状突起１０２に対して径方向に係合している。また、第二の可動膜保持部材２３０の第二の係合突起１１４が、可動膜１００の第二の周状突起１０３の内周側に当接する状態となり、当該第二の周状突起１０３に対して径方向に係合している。
【００５５】
さらに、この状態において、第一の可動膜保持部材２２０の平面部１１１は、可動膜１００の上面側との間に領域２０３ａを確保している。つまり、当該領域２０３ａが、中間室２０３のうち受圧室２０１側の部分となる。また、第二の可動膜保持部材２３０の平面部１１１は、可動膜１００の下面側との間に領域２０３ｂを確保している。つまり、当該領域２０３ｂが、中間室２０３のうち平衡室２０２側の部分となる。
【００５６】
以上より、確実に、受圧室２０１の液圧が大きくなる場合にも小さくなる場合にも、スティックスリップの発生を抑制できる。
【図面の簡単な説明】
【００５７】
【図１】第一実施形態のエンジンマウント１の軸方向断面図である。
【図２】（ａ）可動膜保持部材１１０の平面図である。（ｂ）可動膜保持部材１１０の正面図である。（ｃ）可動膜保持部材１１０の底面図である。
【図３】第二実施形態のエンジンマウントを構成する仕切部材２１０、可動膜１００、可動膜保持部材２２０、２３０を含む断面図である。
【符号の説明】
【００５８】
１：エンジンマウント
１０：第一の取付金具、  １１：逆円錐台部、  １２：ストッパ部
１３：雌ネジ形成部、  １３ａ：雌ネジ
２０：第二の取付金具、  ２１：段差部、  ２２：テーパ状部、  ２３：フランジ状部
３０：本体ゴム弾性体、  ３１：大径凹所
４０：シールゴム層、  ４１：段差面
５０：第一ストッパゴム
６０：ダイヤフラム、  ６１：中央当接部、  ６２：固着部
７０：固定金具
８０：ストッパ金具、  ８１：筒状部、  ８２：内フランジ状部
９０、２１０：仕切部材、  ９１：周溝、  ９２、９３：中央凹所
９４：貫通孔（第三オリフィス通路）
１００：可動膜、  １０１：円盤状部、  １０２：第一の周状突起
１０３：第二の周状突起
１１０、２２０、２３０：可動膜保持部材、  １１１：平面部
１１２：オリフィス用貫通孔（第二オリフィス通路）、  １１３：取付用貫通孔
１１４：係合突起
【図１】
0005085389.tif 000002
【図２】
0005085389.tif 000003
【図３】
0005085389.tif 000004